(57)【要約】  【課題】  撮影画像データを記録する記録媒体に各種情報データベースを記録させ、撮影被写体に関連する情報データを検索して、撮影画像データと関連付けして記録する電子撮影装置を提供する。  【解決手段】  被写体を撮影したデジタル画像データを記録するＨＤＤ２３の記録媒体と、記録媒体に記録されているデジタル画像データを復調して撮影映像を再生表示させる表示装置１９と、記録媒体に設けられたデジタル画像データ以外の情報データを有する情報データベースと、情報データベースから被写体に関連するキーワードを用いて被写体関連の情報データを検索して、検索した被写体関連の情報データをデジタル画像データと関連付けして記録媒体に記録させる電子撮影装置。  【選択図】  図１
2006301956.tif 000002
【特許請求の範囲】
【請求項１】
被写体を撮影した撮影信号を所定の符号化と圧縮処理を施してデジタル画像データを生成する撮影手段と、
前記撮影手段にて生成したデジタル画像データを記録する記録媒体と、
前記記録媒体に記録されているデジタル画像データを読み出して所定の復号化と伸張処理を施して映像信号を生成すると共に、前記映像信号により映像を再生表示させる再生表示手段と、
前記記録媒体に設けられ、前記撮影手段で生成したデジタル画像データ以外の情報データを有する情報データベースと、
前記情報データベースから前記撮像手段で撮像した被写体に関連するキーワードを用いて被写体関連の情報データを検索する検索手段と、
前記検索手段にてキーワードを用いて検索した被写体関連の情報データを前記撮影手段で撮影した被写体のデジタル画像データと関連付けして前記記録媒体に記録させる関連情報記憶手段と、
を具備することを特徴とした電子撮影装置。
【請求項２】
前記検索手段は、前記情報データベースから前記撮影手段で撮影した被写体に関連するキーワードを用いて検索した複数の被写体関連の情報データを前記再生表示手段に一覧表示させると共に、一覧表示された複数の被写体関連の情報データから選択した特定の被写体関連の情報データの詳細情報を表示させることを特徴とした請求項１に記載の電子撮影装置。
【請求項３】
前記検索手段は、前記撮影手段にて撮影した被写体の撮影画像から文字情報を抽出し、抽出した文字情報をキーワードとして前記情報データベースから被写体関連の情報データを検索することを特徴とした請求項１または２のいずれかに記載の電子撮影装置。
【請求項４】
前記情報データベースは、前記記録媒体に記録されている情報データベース以外の他の情報データベースと接続可能であり、前記検索手段により他の情報データベースから検索した個々情報データを前記記録媒体に記録することを特徴とした請求項１乃至３のいずれかに記載の電子撮影装置。
【請求項５】
前記情報データベースに記録している情報データベース、及び接続可能な他の情報データベースは、各種辞書データベース、各種図鑑データベース、地図情報データベース等からなることを特徴とした請求項１乃至５のいずれかに記載の電子撮影装置。
【請求項６】
前記情報データベースは、前記記録媒体を構成する記録媒体のうち着脱不能な記録媒体に設けられていることを特徴した請求項１乃至５のいずれかに記載の電子撮影装置。
【発明の詳細な説明】
【技術分野】
【０００１】
本発明は、動画像及び静止画像を電気的な撮影信号に変換して、撮影信号を画像データとして記録媒体に記録する電子撮影装置において、撮影した被写体に関連する各種情報データが検索できると共に、検索した情報データを撮像した被写体の画像データと関連付けして記録させる電子撮影装置に関する。
【背景技術】
【０００２】
近年は、高記録容量の半導体メモリをカード化した半導体メモリカードや、小形で大記録容量のバードディスクを記録媒体とする携帯性に優れた情報機器が実用化されている。この情報機器として、例えば、携帯電話機がある。携帯電話機において、文字入力作業の効率化を行うために、予測変換機能が備えられている。
【０００３】
予測変換機能は、ユーザが語句の読み仮名を入力するに応じて、携帯電話機内の辞書制御プログラムが入力された読み仮名と前方一致する語句を変換候補として表示する機能である。予測変換機能によれば、ユーザは、全ての読み仮名を入力することなく、変換候補の中から所望の語句を選択できるために簡単な語句入力とすることができ、文字入力作業を効率的に行うことができる。
【０００４】
しかし、辞書制御プログラムは、携帯電話に内蔵している辞書データのみを検索対象として入力された文字に対応する語句を検索する構成であるために、ユーザは、特殊な個人名等、辞書データに登録されてない語句は簡単に入力できず、文字入力処理を効率的に行うことができない。
【０００５】
そこで、複数の語句と、その語句の読み仮名を示す辞書データと、この辞書データと独立して動作するアプリケーションプログラムが記憶するデータの双方を参照して、ユーザにより入力された文字に関連する語句を検索、表示する辞書データ検索方法及び辞書データ検索装置が、例えば、特許文献１に提案されている。
【特許文献１】特開２００３−３４５７９０号公報
【発明の開示】
【発明が解決しようとする課題】
【０００６】
上述した特許文献１に提案されている辞書データ検索方法及び辞書データ検索装置は、ユーザが入力された文字に関連する語句を検索表示されることから文字入力の効率は向上する。
【０００７】
しかし、入力された文字から関連する語句が検索表示された際に、例えば、同音異語の場合は、検索表示した語句の意味や使われ方等の詳細情報が共に表示されないと語句の使い方を誤ることがある。
【０００８】
また、携帯電話以外の携帯情報端末器に、辞書データ以外に各種情報データベースを内蔵したものがある。例えば、植物や動物の図鑑データを内蔵させた携帯情報端末器は、ユーザの操作に応じて携帯情報端末器に植物や動物の絵を順次表示させて、目的の植物や動物を検索している。このために、所望の植物や動物を情報を図鑑データから検索するための多くの時間と多数の操作が必要となり、データ検索が余り効率的ではなかった。
【０００９】
一方、従来から被写体像を光電変換する固体撮像素子を用いて、静止画像及び動画像の電気画像信号を生成して、記録媒体に記録するデジタルスチールカメラやビデオカメラと称される電子カメラあるいは電子撮影装置（以下、単に電子カメラと称する）が実用化されている。電子カメラは、１台の電子カメラで、動画像と静止画像とを共に撮影することのできる電子カメラも実用化されている。
【００１０】
近年の電子カメラは、大記録容量のハードディスクが内蔵されて、撮影された画像データを大量に記録することができると共に、撮影した画像データ以外に各種情報データを記録させて、撮影した画像に対応した情報データの検索と、検索された情報データを撮影画像データと関連付けしてデータ記録されることが望まれている。
【００１１】
本発明は、このような事情に鑑みてなされたもので、撮影画像データを記録する記録媒体に各種情報データベースとを共に記録させ、撮影画像データに関連する情報データを情報データベースから検索して、撮影画像データと関連付けして記録可能とする電子撮影装置を提供することを目的としている。
【課題を解決するための手段】
【００１２】
本発明の電子撮影装置は、被写体を撮影した撮影信号を所定の符号化と圧縮処理を施してデジタル画像データを生成する撮影手段と、前記撮影手段にて生成したデジタル画像データを記録する記録媒体と、前記記録媒体に記録されているデジタル画像データを読み出して所定の復号化と伸張処理を施して映像信号を生成すると共に、前記映像信号により映像を再生表示させる再生表示手段と、前記記録媒体に設けられ、前記撮影手段で生成したデジタル画像データ以外の情報データを有する情報データベースと、前記情報データベースから前記撮像手段で撮像した被写体に関連するキーワードを用いて被写体関連の情報データを検索する検索手段と、前記検索手段にてキーワードを用いて検索した被写体関連の情報データを前記撮影手段で撮影した被写体のデジタル画像データと関連付けして前記記録媒体に記録させる関連情報記憶手段と、を具備することを特徴としている。
【００１３】
本発明の電子撮影装置の前記検索手段は、前記情報データベースから前記撮影手段で撮影した被写体に関連するキーワードを用いて検索した複数の被写体関連の情報データを前記再生表示手段に一覧表示させると共に、一覧表示された複数の被写体関連の情報データから選択した特定の被写体関連の情報データの詳細情報を表示させることを特徴としている。
【００１４】
本発明の電子撮影装置の前記検索手段は、前記撮影手段にて撮影した被写体の撮影画像から文字情報を抽出し、抽出した文字情報をキーワードとして前記情報データベースからの被写体関連の情報データを検索することを特徴としている。
【００１５】
本発明の電子撮影装置の前記情報データベースは、前記記録媒体に記録されている情報データベース以外の他の情報データベースと接続可能であり、前記検索手段により他の情報データベースから検索した個々情報データを前記記録媒体に記録することを特徴としている。
【００１６】
本発明の電子撮影装置の前記情報データベースに記録している情報データベース、及び接続可能な他の情報データベースは、各種辞書データベース、各種図鑑データベース、地図情報データベース等からなることを特徴としている。
【００１７】
本発明の電子撮影装置の前記情報データベースは、前記記録媒体を構成する記録媒体のうち着脱不能な記録媒体に設けられていることを特徴している。
【発明の効果】
【００１８】
本発明の電子撮影装置は、内蔵されている記録媒体に撮影した被写体に関連する情報データを情報データベースからキーワード検索が可能となると共に、検索した被写体関連の情報データを撮影した被写体の画像データに関連付けてして記録媒体に記憶することにより、撮影した被写体の画像データの編集や整理に有効活用でき、撮影済み画像データのユーザに対する親和性が向上する効果を有する。
【発明を実施するための最良の形態】
【００１９】
以下、図面を参照して本発明の実施の形態について詳細に説明する。図１は本発明の実施形態の電子撮影装置の構成を示すブロック図、図２は本発明の実施形態の電子撮影装置における被写体関連の情報データの検索と表示操作のフローチャート、図３は本発明の実施形態の電子撮影装置の表示装置にキーワード検索結果を表示する画面を説明する説明図、図４は本発明の実施形態の電子撮影装置の表示装置に情報データベースからの関連情報の一覧表示であるサムネイル表示画面を説明する説明図、図５は本発明の実施形態の電子撮影装置の表示装置にキーワード検索結果の一覧表示であるサムネイル表示画面を説明する説明図、図６本発明の実施形態の電子撮影装置の表示装置に検索された被写体関連の情報データの表示画面を説明する説明図、図７は本発明の実施形態の電子撮影装置の表示装置に撮影した被写体像と共に被写体関連の情報データを表示する画面を説明する説明図である。
【００２０】
図１を用いて本発明の実施形態の電子撮影装置の構成について説明する。本発明の実施形態の電子撮像装置は、光学レンズ１１、固体撮像素子であるＣＣＤ（Ｃｈａｒｇｅ  Ｃｏｕｐｌｅｄ  Ｄｅｖｉｃｅ）１２、アナログ／デジタル変換部（以下、Ａ／Ｄ変換部と称する）１３、ＣＣＤ信号処理部１４、メモリコントローラー１５、バッファメモリ１６、画像圧縮・伸張処理部１７、画像表示処理部１８、表示装置１９、マイクロコンピュータであるＣＰＵ２０、記録メディアインターフェース２１、メモリカード２２、ハードディスク（以下、ＨＤＤと称する）２３、音声入出力処理部２４、スピーカー２５、マイクロホン（以下、マイクと称する）２６、操作部２７、及びネットワーク部２８から構成されている。
【００２１】
光学レンズ１１は、被写体からの被写体光を透過してＣＣＤ１２に照射する。ＣＣＤ１２は、光学レンズ１１から照射された被写体光をアナログ電荷量に変換されたアナログＣＣＤ信号であるアナログ撮影信号をＡ／Ｄ変換部１３に出力する。Ａ／Ｄ変換部１３は、アナログ撮影信号をデジタルＣＣＤ信号であるデジタル撮影信号に変換してＣＣＤ信号処理部１４に供給する。ＣＣＤ信号処理部１４は、Ａ／Ｄ変換部１３からのデジタル撮影信号のノイズ除去等のデジタル信号処理を行いメモリコントローラ１５に供給する。メモリコントローラ１５は、ＣＰＵ２０による駆動制御の基で、デジタル撮影信号をバッファメモリ１６に一時記憶させる。
【００２２】
ＣＰＵ２０は、後述する操作部２７からの各種操作指示入力によりＣＣＤ信号処理部１４、メモリコントローラー１５、画像圧縮・伸張処理部１７、記録メディアインターフェース２１、音声入出力処理部２４、及びネットワーク部２８の駆動を制御する各種制御プログラムを有している。
【００２３】
バッファメモリ１６に一時記憶されたデジタル撮影信号は、ＣＰＵ２０にて駆動制御されているメモリコントロール１５に読み出されて、画像圧縮・伸張処理部１７に供給されてデジタル画像データを生成する。画像圧縮・伸張処理部１７は、動画像の場合は、動画圧縮方式のＭＰＥＧ方式による符号化と圧縮処理を行いデジタル動画像データを生成し、静止画像の場合は、静止画像圧縮方式のＪＰＥＧ方式による符号化と圧縮処理を行いデジタル静止画像データを生成する。
【００２４】
画像圧縮・伸張処理部１７にて符号化と圧縮処理されたデジタル動画像及び静止画像データは、ＣＰＵ２０による駆動制御の基で記録メディアインターフェース２１を介して、メモリカード２２またはＨＤＤ２３に記録する。記録メディアインターフェース２１は、メモリカード２２またはＨＤＤ２３と画像圧縮・伸張処理部１７とのデジタル画像データの送受信用のインターフェースである。メモリカード２２は、半導体メモリが内蔵されたカード形式の記録媒体で、図示していないが電子撮影装置に着脱自在に設けられる。ＨＤＤ２３は、小形で大容量のハードディスク型の記録媒体で、電子撮影装置の内部に着脱不能に設けられている。
【００２５】
また、バッファメモリ１６に一時記憶されたデジタル撮影信号は、ＣＰＵ２０にて駆動制御されているメモリコントローラー１５に読み出されて、画像表示処理部１８に供給されて映像信号が生成される。画像表示処理部１８は、バッファメモリ１６に一時記憶されたデジタル撮影信号を基に、表示装置１９である、例えば液晶表示パネルに撮像した映像を表示させるための映像信号を生成する。つまり、撮影時の映像を表示装置１９に表示させる。
【００２６】
また、画像表示処理部１８には、メモリカード２２またはＨＤＤ２３に記録されたデジタル画像データをＣＰＵ２０の駆動制御の基で、記録メディアインターフェース２１により読み出し、その読み出したデジタル画像データを画像圧縮・伸張処理部１７にて復号化と伸張処理されたデジタル撮影信号がメモリコントローラー１５を介して供給される。画像表示処理部１８は、メモリコントローラー１５から供給された復号化と伸張処理されたデジタル撮影信号を基に表示装置１９に撮影した映像を表示させる。つまり、メモリカード２２またはＨＤＤ２３に記録されたデジタル画像データによる撮影済みの映像を再生表示させる。
【００２７】
音声入出力処理部２４は、ＣＰＵ２０の制御の基で、撮影時にマイク２６にて集音して生成した音声信号を所定のデジタル音声データに変換して記録メディアインターフェース２１からメモリカード２２またはＨＤＤ２３に記録させると共に、記録メディアインターフェース２１にてメモリカード２２またはＨＤＤ２３から読み出されたデジタル音声データを所定の復調処理してスピーカー２５から音声を出力する。
【００２８】
操作部２７は、ユーザが撮影時に操作する電源スイッチやシャッタボタン等の電子撮影装置に設けられている各種スイッチやボタンによりＣＰＵ２０に備えられている各種制御プログラムの駆動の入力指示を行う。なお、表示装置１９には、タッチパネルが併設されており、表示装置１９に表示させる各種動作モード画面をユーザがタッチすることで、ＣＰＵ２０に対して各種操作モードの入力指示も行われる。
【００２９】
ネットワーク部２８は、電子撮影装置を、例えば、パーソナルコンピュータを介して各種ネットワークに接続し、ネットワークとの間で送受信する各種データのインターフェースである。
【００３０】
このような構成の本発明の実施形態の電子撮影装置は、記録メディアであるメモリカード２２とＨＨＤ２３のうち、大記録容量のＨＤＤ２３に撮影した動画像や静止画像のデジタル画像データの記録以外に、各種情報データを有する複数の情報データベースを記録させる。ＨＨＤ２３に撮像デジタル画像データ以外に記録する複数の情報データベースとは、例えば、国語や和英等の辞書、動物や植物及び星座等の図鑑、及び地図情報等である。
【００３１】
また、ＣＰＵ２０には、ユーザが入力したキーワードによりＨＤＤ２３に記録した複数の情報データベースからキーワードに一致する情報データを検索するためのアプリケーションプログラムが備えられている。
【００３２】
つまり、本発明の実施形態の電子撮影装置は、例えば、ユーザが撮影した被写体のキーワードを入力すると複数の情報データベースを検索して、キーワードと一致する情報データを表示装置１９に表示させる。表示装置１９に表示されたキーワードに一致する情報データから被写体に関連する情報データを選択して、撮像した被写体のデジタル画像データと関連付けして記録する。これにより、ユーザは、撮影した被写体映像と共に記録された被写体関連の情報データにより被写体の理解と撮影時の状況が把握できる。
【００３３】
本発明の実施形態の電子撮影装置に設けられた撮影した被写体のキーワードを用いた複数の情報データベースの検索に関するアプリケーションプログラムの動作について、図２を用いて説明する。
【００３４】
なお、ＨＤＤ２３には、撮影された被写体のデジタル画像データを記録するエリアと、複数の情報データベースを記録したエリアとが設けられている。また、複数の情報データベースは、前述したように、例えば、国語辞書、和英辞書、動物図鑑、植物図鑑、星座図鑑、地図情報とする。国語辞書は、仮名検索語に対する漢字と意味等のデータを有する。和英辞書は、日本語による検索語に対する英語のスペルや発音音声信号等のデータを有する。動物図鑑は、図２の図中に示すように、検索語である動物名、動物の特徴を主体とする説明文、動物の画像、及びその他の情報等のデータを有する。植物図鑑は、略動物図鑑と同じに、検索語である植物名、植物の特徴を主体とする説明文、植物の画像、及びその他の情報等のデータを有する。星座図鑑は、検索語である星座名、星座の特徴を主体とする説明文、星座の地図画像、及びその他の情報等のデータを有する。地図情報は、検索語である住所録、地図画像、またはＧＰＳを利用した現在位置の地図画像への表示等のデータを有する。
【００３５】
例えば、ユーザは、動物のキリンを撮影したとする。キリンの撮影後に、ユーザは、操作部２７からＣＰＵ２０に対して情報データベースのキーワード検索のアプリケーションプログラムの動作入力を行う。ＣＰＵ２０は、操作部２７から入力によりキーワード検索のアプリケーションプログラムを動作させて、画像表示処理部１８を介して、表示装置１９にキーワード検索画面を表示させる。
【００３６】
表示装置１９に表示されるキーワード検索画面は、図示してないが、仮名入力用の１０キーボタンと、１０キーボタンで入力したキーワードを表示するキーワード表示欄からなる。
【００３７】
ユーザは、ステップＳ１で表示装置１９に表示されたキーワード検索画面を用いて撮影した被写体に関係する検索キーワードである仮名「きりん」を入力する。ステップＳ１において、入力されたキーワード「きりん」を基に、ＣＰＵ２０は、ステップＳ２において、ＨＤＤ２３に記録されている複数の情報データベースそれぞれを検索して、キーワード「きりん」に該当する検索語があるか判定する。
【００３８】
ステップＳ２の判定の結果、キーワード「きりん」に該当する検索語を有する情報データベースが無いと判定すると、ＣＰＵ２０は、ステップＳ３にて、表示装置１９にキーワードに該当する情報データがない旨を示す、例えば、「該当なし」の表示を行わせる。ステップＳ３の「該当なし」と表示すると、ＣＰＵ２０は、ステップＳ１２において、操作部２７から次の入力が行われたかの判定状態となる。
【００３９】
ステップＳ２の判定の結果、キーワード「きりん」に該当する検索語を有する情報データベースがあると判定されると、ＣＰＵ２０は、ステップＳ４にて、各情報データベース毎に検索された該当検索語を文字の一覧として文字一覧表示、あるいは、画像の一覧として表示させるサムネイル表示のいずれをユーザにより選択させるか表示形式選択画面を表示装置１９に表示させる。ユーザは、表示装置１９に表示された表示形式選択画面から文字一覧表示、またはサムネイル一覧表示のいずれかを選択して入力する。
【００４０】
ステップＳ４において、ユーザが文字一覧表示を選択入力したと判定すると、ＣＰＵ２０は、ステップＳ５にて表示装置１９に検索された各情報データベースからの検索キーワードに該当する検索結果の文字一覧表示３１を表示する。この検索結果の文字一覧表示３１は、図３に示すように、表示されている画面の標題を示す標題部３１ａと、キーワードと一致した検索語を有する各情報データベース毎の一覧表示部３１ｂからなる。
【００４１】
標題部３１ａは、検索動作を示す図中のＡを四角で囲って示した検索アイコン３０ａと、「検索結果」であることを表記する表記部３１ａ１と、検索キーワードの「きりん」を示すキーワード表示部３１ａ２からなる。一覧表示部３１ｂは、動物図鑑のデータベースからの検索結果を示す動物図鑑検索結果部３１ｂ１、和英辞書のデータベースからの検索結果を示す和英辞書検索結果部３１ｂ２、地図情報のデータベースからの検索結果を示す地図情報検索結果部３１ｂ３、国語辞書のデータベースからの検索結果を示す国語辞書検索結果部３１ｂ４、星座図鑑のデーベースからの検索結果を示す星座図鑑検索結果部３１ｂ５、及び植物図鑑のデータベースからの検索結果を示す植物図鑑検索結果部３１ｂ６等からなる。
【００４２】
一覧表示部３１ｂの動物図鑑検索結果部３１ｂ１には、キーワードに一致した検索語である動物名の「キリン」の表記と、動物図鑑を示す［動物］の表記と、動物図鑑に「キリン」の説明文データを有することを示す図中にＢを四角で囲って示した説明文アイコン３０ｂ、静止画データを有することを示す図中にＣを四角で囲って示した静止画アイコン３０ｃ、動画データを有することを示す図中にＤを四角で囲って示した動画アイコン３０ｄ等が表示される。和英辞書検索結果部３１ｂ２は、キーワードに一致した検索語である日本語句の「キリン」の表記と、和英辞書を示す［和英］の表記と、和英辞書に「キリン」の説明文データを有することを示す説明文アイコン３０ｂ、「キリン」の英語発音の音声データを有することを示す図中にＥを四角で囲って示した音声アイコン３０ｅ等が表示される。地図情報検索結果部３１ｂ３には、キーワードに一致した検索語である地域名の「麒麟」表記と、地域名麒麟を含む住所の表示と、地図情報を示す［地図］の表記等が表示される。国語辞書検索結果部３１ｂ４は、キーワードに一致した検索語である「麒麟」の表記と、国語辞書を示す［国語］の表記と、国語辞書に「麒麟」の説明文データを有することを示す説明文アイコン３０ｂ等が表示される。星座図鑑検索結果部３１ｂ５には、キーワードに一致した検索語である星座名の「麒麟座」の表記と、星座図鑑を示す［星座］の表記と、星座図鑑に「麒麟座」の説明文データを有することを示す説明文アイコン３０ｂ、星座麒麟座の静止画データを有することを示す静止画アイコン３０ｃ、星座麒麟座の星座地図を有することを示す図中にＦを四角で囲って示した星座地図アイコン３０ｆ等が表示される。植物図鑑検索結果部３１ｂ６には、キーワードに一致した検索語である植物名の「麒麟草」の表記と、植物図鑑を示す［植物］の表記と、植物図鑑に「麒麟草」の説明文データを有することを示す説明文アイコン３０ｂ、「麒麟草」の静止画データを有することを示す静止画アイコン３０ｃ等が表示される。なお、図中にＧを四角で囲って示したアイコンは、検索操作の最初に戻るホームアイコン３０ｇである。また、図３に示されている以外に、一覧表示項目がある場合に、前のページに戻したり、次のページに進めるためのページシフトキー３１ｃが設けられている。更に、この一覧表示部３１ｂから所望の情報データを選択するためのカーソル３１ｄが表示されている。
【００４３】
図３を用いて説明した文字一覧表示３１がステップＳ５にて表示されると、ユーザは、文字一覧表示３１のカーソル３１ｄを操作して所望の情報データベースに移動させて選択する。例えば、図３に示すように、カーソル３１ｄを動物図鑑検索結果部３１ｂ１移動させて選択すると、ＣＰＵ２０は、ステップＳ６にて文字一覧表示３１から胴部図鑑検索結果部３１ｂ１を表示データとして選択されたと判定する。ＣＰＵ２０は、ステップＳ６の判定により、ステップＳ７にて動物図鑑に設けられている「キリン」の説明文データを基に表示装置１９に「キリン」の説明文である、例えば、「首が長い…」を表示させる。
【００４４】
ステップＳ４において、ユーザがキーワード検索の結果をサムネイル一覧の表示形式を選択すると、ＣＰＵ２０は、ステップＳ８にてキーワード検索の結果をサムネイル一覧として表示する。
【００４５】
サムネイル一覧表示は、画像を一覧表示させるために、少なくとも静止画像データを有する情報データベースから検索された結果を表示させる。具体的には、図５に示すように、サムネイル一覧表示３２は、標題部３２ａとサムネイル表示部３２ｂからなる。標題部３２ａは、表記部３２ａ１に「検索結果」の表記と、キーワード表示部３２ａ２に検索キーワードの「きりん」を表記する。サムネイル表示部３２ｂは、動物図鑑からの検索結果の「キリン」の静止画像３２ｂ１、地図情報からの「麒麟」の地名近辺の地図画像３２ｂ２、星座図鑑からの「麒麟座」の星座地図３２ｂ３、及び植物図鑑からの「麒麟草」の静止画像３２ｂ４等をサムネイル表示される。
【００４６】
ステップＳ８において、図５に示したサムネイル一覧表示３２が表示装置１９に表示されると、ＣＰＵ２０は、ステップＳ９にてユーザがサムネイル一覧３２から詳細情報データを表示させる表示データを選択されたか判定する。例えば、ユーザが図５に示すサムネイル一覧３２から動物図鑑からの「キリン」の静止画像３２ｂ１が選択されると、ＣＯＵ２０は、選択された「キリン」の静止画像３２ｂ１が選択されたと判定する。
【００４７】
次に、ＣＰＵ２０は、ステップＳ１０において、ステップＳ９で表示データ選択された、例えば、動物図鑑の静止画像３２ｂ１の詳細データの表示形式の選択判定を行う。ステップＳ１０の詳細データの表示形式の選択は、動物図鑑の説明文データによる説明文表示、または、動物図鑑の画像データによる動画像または静止画像の表示のいずれかを選択する。
【００４８】
つまり、ユーザがステップＳ９にて図５に示したサムネイル一覧表示３２から動物図鑑からの検索結果である「キリン」の静止画像３２ｂ１を選択し、かつ、ステップＳ１０にて選択した「キリン」の静止画像３２ｂ１の画像表示を選択する。ＣＰＵ２０は、ステップＳ１１にて、図６に示すように、動物図鑑の「キリン」のデータを基に、詳細画面３３を表示装置１９に表示させる。
【００４９】
ステップＳ１１にて表示される詳細画面３３は、図６に示すように、標題部３２ａ、画像表示部３２ｂ、及び画像表示３２ｂに表示するデータ内容を選択するための声明データ、静止画像データ、動画像データのそれぞれのアイコン３０ｂ〜３０ｄと検索アイコン３０ａが表示される。標題部３２ａには、動物名「キリン」と情報データベースの動物図鑑を示す［動物］が表記される。画像表示部３２ｂには、選択した動物「キリン」の画像が表示される。この画像表示部３２には、説明文アイコン３０ｂが選択されると、キリンの説明文が表示され、静止画アイコン３０ｃが選択されるとキリンの静止画像が表示され、動画アイコン３０ｄが選択されるとキリンの動画像が表示される。
【００５０】
ステップＳ１０において、ＣＰＵ２０は、ユーザが詳細データの表示形式が説明文を選択したと判定すると、ステップＳ７にて動物図鑑に設けられている説明文データによる「キリン」の説明文である、例えば、「首が長い…」を表示装置１９に表示させる。
【００５１】
ステップＳ７、あるいは、ステップ１１の詳細データの表示が行われた後に、ステップＳ１２でユーザが操作部２７から表示形式やアイテムの変更入力されたことをＣＰＵ２０が検出すると、ステップＳ１０に戻り処理が繰り返される。
【００５２】
また、ステップＳ１のキーワード入力において、撮影した被写体が動物であるが動物名が不明の場合は、キーワードの入力ができないために、ＣＰＵ２０に対して動物図鑑の情報データベースの検索を入力し、表示装置１９に図４に示すように、複数の動物の静止画像を一覧表示させるサムネイル表示させる。このサムネイル表示を順次シフトさせて、撮影した動物の同じ静止画像を見つけ、その静止画像の動物の詳細データを表示させることで、動物名や説明文のデータを得ることができる。なお、図４に示すサムネイル表示は、星座図鑑や植物図鑑の情報データベースを用いて行うこともできる。
【００５３】
更に、地図情報データベースの利用において、図示してないが、撮影場所の住所が不明の場合は、ＧＰＳ機能を電子撮影装置に設け、ＧＰＳ機能にて検出された現在位置の経度と緯度から地図情報を用いて撮影場所を特定することもできる。仮に、ＧＰＳ機能が無くても、ユーザが地図情報データから撮影場所を指定することで、撮影場所の情報を付加することができる。
【００５４】
このようにしてキーワードにて撮影した被写体に関連する情報データを情報データベースから検索した結果は、撮影した被写体のデジタル画像データと関連付けして、メモリカード２２またはＨＤＤ２３に記録させる。メモリカード２２またはＨＤＤ２３に被写体のデジタル画像データと共に記録した被写体の関連データである情報データを表示装置に１９に表示させると、図７に示すように、撮影した被写体像である動物の「キリン」の再生映像と共に、「キリン」に関連する情報データの検索アイコン３０ａ、説明文アイコン３０ｂ、及び検索のホームに戻るホームアイコン３０ｇ等が表示される。
【００５５】
つまり、本発明の電子撮影装置は、撮影した被写体の画像データと共に辞書や図鑑から得た被写体の関連情報データの説明文データや画像データ、地図情報から得た撮影場所情報が記録されるために、画像データの整理編集の利便性が一層向上すると共に、撮影された被写体への興味が一層増大する。
【００５６】
また、ＧＰＳ機能により地図情報の検索結果による撮影場所の住所データを共に記録させることで、後日の撮影画像データの撮影場所の特定に有効となる。
【００５７】
なお、本発明の実施形態の電子撮影装置は、被写体の撮影時に、ＨＤＤ２３に記録されている情報データベースからは被写体関連の情報データが得られない場合に、被写体撮影後に、ネットワーク部２８からパーソナルコンピュータ等を介して外部の情報データベースに接続して、その外部の情報データベースからキーワードに該当する被写体関連の情報データを取り込み記録するようにしても良い。
【００５８】
更に、被写体内に文字情報がある場合は、撮影信号の中の文字情報を抽出してキーワードとして複数の情報データベースからの被写体関連の情報データの検索を行うようにしても良い。
【００５９】
以上詳述した本発明の実施形態の電子撮影装置は、撮影レンズ１１、ＣＣＤ１２、Ａ／Ｄ変換部１３、ＣＣＤ信号処理部１４、画像圧縮・伸張処理部１７からなるデジタル画像データを生成する撮影手段と、撮影手段にて生成したデジタル画像データを記憶するメモリカード２２またはＨＤＤ２３からなる記録媒体手段と、記録媒体手段に記録されているデジタル画像データから復調した映像信号により撮影した映像を表示させる画像圧縮・伸張処理部１７、画像表示処理部１８、表示装置１９からなる再生表示手段と、記録媒体手段のＨＤＤ２３に複数の情報データベースを記録させた情報データベース手段と、情報データベース手段に記録されている複数の情報データベースからキーワードにより被写体関連の情報データを検索し、かつ、検索した情報データを記録媒体手段にデジタル画像データと関連させて記録させるＣＰＵ２０に設けられた検索手段と関連情報記録手段とを備えている。
【００６０】
これにより、ユーザは、例えば、撮影した被写体の解説文や、名前の解らない動植物を撮影した際には、図鑑データから該当動植物の名前と生態解説等の情報データが得られ、かつ、撮影した場所の住所や撮影場所の解説文等を撮影画像データと共に記録することができ、撮影済み画像データの整理編集に有効であると共に、撮影済み画像の思い出としてのユーザに与える親和性が向上する。
【図面の簡単な説明】
【００６１】
【図１】本発明の実施形態の電子撮影装置の構成を示すブロック図。
【図２】本発明の実施形態の電子撮影装置における被写体関連の情報データの検索と表示操作のフローチャート。
【図３】本発明の実施形態の電子撮影装置の表示装置にキーワード検索結果を表示する画面を説明する説明図。
【図４】本発明の実施形態の電子撮影装置の表示装置に情報データベースからの関連情報の一覧表示であるサムネイル表示画面を説明する説明図。
【図５】本発明の実施形態の電子撮影装置の表示装置にキーワード検索結果の一覧表示であるサムネイル表示画面を説明する説明図。
【図６】本発明の実施形態の電子撮影装置の表示装置に検索された被写体関連の情報データの表示画面を説明する説明図。
【図７】本発明の実施形態の電子撮影装置の表示装置に撮影した被写体像と共に被写体関連の情報データを表示する画面を説明する説明図。
【符号の説明】
【００６２】
１１…光学レンズ、１２…固体撮像素子（ＣＣＤ）、１３…アナログ／デジタル変換部（Ａ／Ｄ変換部）、１４…ＣＣＤ信号処理部、１５…メモリコントローラー、１６…バッファメモリ、１７…画像圧縮・伸張処理部、１８…画像表示処理部、１９…表示装置、２０…マイクロコンピュータ（ＣＰＵ）、２１…記録メディアインターフェース、２２…メモリカード、２３…ハードディスク（ＨＤＤ）、２４…音声入出力処理部、２５…スピーカ、２６…マイクロホン（マイク）、２７…操作部、２８…ネットワーク部。
【図１】
2006301956.tif 000003
【図２】
2006301956.tif 000004
【図３】
2006301956.tif 000005
【図４】
2006301956.tif 000006
【図５】
2006301956.tif 000007
【図６】
2006301956.tif 000008
【図７】
2006301956.tif 000009